(57)【要約】【課題】  電波を良好に受信できると共に、金属調の外観を確保して装飾性を高めるようにする。【解決手段】  内部にアンテナ９が収容される合成樹脂製のケース本体２２の外周面に軟質合成樹脂製の装飾部材２３をアンテナ９に対向させて取り付け、ケース本体２２および装飾部材２３の上部側に金属製の外装部材２４を取り付け、ケース本体２２の下部側に金属製の裏蓋２５を取り付けた。従って、アンテナ９による磁界を合成樹脂製のケース本体２２および軟質合成樹脂製の装飾部材２３によって腕時計ケース１の外部に発生させることができ、これによりアンテナ９で標準時刻情報を含む電波を確実に且つ良好に受信することができる。また、ケース本体２２および装飾部材２３の上部側および下部側を金属製の外装部材２４と金属製の裏蓋２５とで覆うことにより、金属調の外観を得ることができ、これにより装飾性を高めることができる。【選択図】        図２
2006112892.tif 000002
【特許請求の範囲】
【請求項１】
内部にアンテナを収容する機器ケースにおいて、
前記機器ケースは、少なくとも前記アンテナに対向する個所が非金属で形成された本体部と、この本体部の上部側を覆う金属製の上部カバー部と、前記本体部の下部側を覆う金属製の下部カバー部とを備えたことを特徴とする機器ケース。
【請求項２】
前記本体部は、合成樹脂製のケース本体と、このケース本体の周囲に前記アンテナと対向して設けられた軟質合成樹脂製の装飾部材とからなることを特徴とする請求項１に記載の機器ケース。
【請求項３】
前記下部カバー部の上面には、磁性シートが少なくとも前記アンテナに対向して設けられていることを特徴とする請求項１または２に記載の機器ケース。
【請求項４】
前記上部カバー部には、保護ガラスが装着されていることを特徴とする請求項１〜３のいずれかに記載の機器ケース。
【請求項５】
内部にアンテナが収容される合成樹脂製のケース本体と、
このケース本体の周囲に前記アンテナと対向して取り付けられた軟質樹脂部材と、
前記ケース本体および前記軟質樹脂部材の上部側に取り付けられた金属製の外装部材と、
少なくとも前記ケース本体の下部側に取り付けられた金属製の裏蓋と
を備えたことを特徴とする腕時計ケース。
【請求項６】
前記裏蓋の上面には、磁性シートが少なくとも前記アンテナに対向して設けられていることを特徴とする請求項５に記載の腕時計ケース。
【請求項７】
前記外装部材には、時計ガラスが装着されていることを特徴とする請求項６または２に記載の腕時計ケース。
【発明の詳細な説明】
【技術分野】
【０００１】
この発明は、腕時計などの電子機器に用いられる機器ケースおよび腕時計ケースに関し、更に詳しくはアンテナを内蔵する機器ケースおよび腕時計ケースに関する。
【背景技術】
【０００２】
例えば、腕時計においては、内蔵したアンテナで標準時刻情報を含む電波を受信し、この受信した電波の標準時刻情報に基づいて時刻を修正する電波時計がある。この種の腕時計は、電波を妨害なく受信するために、腕時計ケースを合成樹脂で形成したものが知られている。
【特許文献１】特開２００２−２８６８７９号公報
【０００３】
この特許文献１の腕時計は、合成樹脂製の腕時計ケース内にアンテナを備えた時計モジュールを収容し、この腕時計ケースの上部に時計ガラスを取り付け、腕時計ケースの下部に裏蓋を取り付け、時計ガラスの内面に文字板部を設け、この文字板部によってアンテナが外部から見えないように隠した構成になっている。
【発明の開示】
【発明が解決しようとする課題】
【０００４】
しかしながら、このような従来の腕時計においては、腕時計ケースを合成樹脂のみで形成しているため、内蔵されたアンテナによって電波を良好に受信することはできても、腕時計ケースが合成樹脂製であるから、金属調の外観が得られず、製品として装飾性の点で劣るという問題がある。
【０００５】
この発明が解決しようとする課題は、電波を良好に受信できると共に、金属調の外観を確保して装飾性を高めることができる機器ケースおよび腕時計ケースを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図４に示すように、内部にアンテナ（９、３５）を収容する機器ケース（腕時計ケース１）において、前記機器ケースは、少なくとも前記アンテナに対向する個所が非金属で形成された本体部（ケース本体２２および装飾部材２３）と、この本体部の上部側を覆う金属製の上部カバー部（外装部材２４）と、前記本体部の下部側を覆う金属製の下部カバー部（裏蓋２５）とを備えたことを特徴とする機器ケースである。
【０００８】
請求項２に記載の発明は、図１〜図４に示すように、前記本体部が、合成樹脂製のケース本体（２２）と、このケース本体の周囲に前記アンテナ（９、３５）と対向して設けられた軟質合成樹脂製の装飾部材（２３）とからなることを特徴とする請求項１に記載の機器ケースである。
【０００９】
請求項３に記載の発明は、図１〜図４に示すように、前記下部カバー部（裏蓋２５）の上面に、磁性シート（３０）が少なくとも前記アンテナ（９、３５）に対向して設けられていることを特徴とする請求項１または２に記載の機器ケースである。
【００１０】
請求項４に記載の発明は、図１〜図４に示すように、前記上部カバー部（外装部材２４）に、保護ガラス（時計ガラス２）が装着されていることを特徴とする請求項１〜３のいずれかに記載の機器ケースである。
【００１１】
請求項５に記載の発明は、図１〜図４に示すように、内部にアンテナ（９、３５）が収容される合成樹脂製のケース本体（２２）と、このケース本体の周囲に前記アンテナと対向して取り付けられた軟質樹脂部材（装飾部材２３）と、前記ケース本体および前記軟質樹脂部材の上部側に取り付けられた金属製の外装部材（２４）と、少なくとも前記ケース本体の下部側に取り付けられた金属製の裏蓋（２５）とを備えたことを特徴とする腕時計ケース（１）である。
【００１２】
請求項６に記載の発明は、図１〜図４に示すように、前記裏蓋（２５）の上面に、磁性シート（３０）が少なくとも前記アンテナ（９、３５）に対向して設けられていることを特徴とする請求項５に記載の腕時計ケースである。
【００１３】
請求項７に記載の発明は、図１〜図４に示すように、前記外装部材（２４）に、時計ガラス（２）が装着されていることを特徴とする請求項５または６に記載の腕時計ケースである。
【発明の効果】
【００１４】
請求項１に記載の発明によれば、内部にアンテナを収容する機器ケースの本体部が、少なくともアンテナに対向する個所を非金属で形成した構成であるから、本体部の上部側を金属製の上部カバー部で覆っても、また本体部の下部側を金属製の下部カバー部で覆っても、本体部における非金属の個所によって電波を取り込むことができ、これによりアンテナで電波を良好に受信することができると共に、本体部の上部側および下部側を覆う上部カバー部と下部カバー部とが金属製であることにより、外部から見える多くの部分を金属にすることができ、これにより金属調の外観を得ることができるので、装飾性を高めることができる。
【００１５】
請求項２に記載の発明によれば、本体部が、合成樹脂製のケース本体と、このケース本体の周囲にアンテナと対向して設けられた軟質合成樹脂製の装飾部材とからなることにより、本体部の全体が合成樹脂製であるから、電波が本体部の影響を受けないようにすることができ、これにより確実に且つ良好にアンテナで電波を受信することができると共に、ケース本体の周囲に設けられた装飾部材が外部から見えても、外部から見える多くの部分が金属で、金属調の外観を得ることができるほか、特に外部から見える装飾部材によってアクセント的な装飾効果をも付加することができ、これにより装飾性を更に高めることができる。
【００１６】
請求項３に記載の発明によれば、下部カバー部の上面に磁性シートが少なくともアンテナに対向して設けられていることにより、下部カバー部が金属で形成されていても、磁性シートによってアンテナが下部カバー部の金属による影響を受けないようにすることができ、これによってもアンテナの受信感度を高めることができるほか、アンテナを下部カバー部に接近させて配置することができるので、アンテナの設置スペースを確保することができると共に、アンテナを本体部内に容易に且つ良好に設置することができる。
【００１７】
請求項４に記載の発明によれば、上部カバー部に保護ガラスが装着されていることにより、この保護ガラスを通して本体部の内部を見ることができるので、本体部内に時刻などの情報を表示する表示手段を設けても、その表示手段に表示された時刻などの情報を本体部の外部から視認することができ、これにより電子機器として良好に使用することができる。
【００１８】
請求項５に記載の発明によれば、内部にアンテナが収容される合成樹脂製のケース本体の周囲に軟質樹脂部材をアンテナに対向させて取り付けたので、請求項１または２に記載の発明と同様、ケース本体および軟質樹脂部材の上部側に金属製の外装部材を取り付けても、またケース本体の下部側に金属製の裏蓋を取り付けても、合成樹脂製のケース本体および軟質樹脂部材によって電波を取り込むことができ、これによりアンテナで電波を良好に受信することができる。
【００１９】
この場合には、特にケース本体および軟質樹脂部材の上部側に取り付けられた外装部材と、少なくともケース本体の下部側に取り付けられた裏蓋とが金属製であることにより、請求項１または２に記載の発明と同様、外部から見える多くの部分を金属にすることができ、これにより金属調の外観を得ることができるので、装飾性を高めることができると共に、ケース本体の周囲に取り付けられた軟質樹脂部材が外部から見えることにより、この軟質樹脂部材によってアクセント的な装飾効果をも付加することができ、これによっても装飾性を高めることができる。
【００２０】
請求項６に記載の発明によれば、裏蓋の上面に磁性シートが少なくともアンテナに対向して設けられていることにより、裏蓋が金属で形成されていても、磁性シートによってアンテナが裏蓋の金属による影響を受けないようにすることができ、これによってもアンテナの受信感度を高めることができるほか、アンテナを裏蓋に接近させて配置することができるので、アンテナの設置スペースを確保することができると共に、アンテナをケース本体内に容易に且つ良好に設置することができる。
【００２１】
請求項７に記載の発明によれば、外装部材に時計ガラスが装着されていることにより、この時計ガラスを通してケース本体の内部を見ることができるので、ケース本体内に時刻などの情報を表示する表示手段を設けても、その表示手段に表示された時刻などの情報をケース本体の外部から視認することができ、これにより電子腕時計として良好に使用することができる。
【発明を実施するための最良の形態】
【００２２】
（実施形態１）
以下、図１〜図３を参照して、この発明を電子腕時計に適用した実施形態１について説明する。
図１はこの発明の電子腕時計を示した拡大正面図、図２はそのＡ−Ａ矢視における拡大断面図、図３は図２の裏蓋を取り外して下面側から見た裏面図である。
【００２３】
この電子腕時計は、図１および図２に示すように、腕時計ケース１を備えている。この腕時計ケース１の上面には、後述するように、時計ガラス２がパッキン３を介して取り付けられており、腕時計ケース１の内部には、図２に示すように、時計モジュール４が収容されている。また、この腕時計ケース１の３時側に位置する側面には、図１および図３に示すように、複数の押釦スイッチ５が設けられている。
【００２４】
時計モジュール４は、アナログ機能部とデジタル機能部とのうち、アナログ機能部を備えた構成になっている。すなわち、この時計モジュール４は、図２に示すように、合成樹脂製の上部ハウジング６と合成樹脂製の下部ハウジング７とを備え、上部ハウジング６内にアナログムーブメント８が設けられていると共に、上部ハウジング６と下部ハウジング７とに跨って後述するアンテナ９が配置され、この状態で上部ハウジング６と下部ハウジング７とが合成樹脂製の中枠１０内に組み込まれて腕時計ケース１内に収容されるように構成されている。
【００２５】
アナログムーブメント８は、図２に示すように、時針軸、分針軸、秒針軸を同心円状に設けた多重筒状の指針軸１１を備え、この指針軸１１が上部ハウジング６の上面に配置された文字板１２のほぼ中心に設けられた貫通孔１２ａを通してその上方に突出し、この突出した指針軸１１の上端部に時針、分針、秒針などの指針１３が取り付けられ、これら指針１３が文字板１２の上方を運針して文字板１２の上面外周部分に設けられた時字１２ｂを指示することにより、現在時刻を指示するように構成されている。
【００２６】
この場合、文字板１２と上部ハウジング６との間には、図２に示すように、ソーラーパネル１４が配置されており、文字板１２の外周部および中枠１０の上部には、リング状の見切り部材１５がその両者に跨って配置されている。この見切り部材１５は、その上部に配置された緩衝部材１６が腕時計ケース１の上部内面に設けられた後述する鍔部１７の下面に当接した状態で時計ガラス２の下側に配置されるように構成されている。
【００２７】
また、上部ハウジング６と下ハウジング７との間には、図２に示すように、回路基板１８が配置されており、下部ハウジング７は、その下側に配置された地板１９により押えられて上部ハウジング６に取り付けられている。さらに、この下部ハウジング７には、図３に示すように、電池収納部３３が設けられており、この電池収納部３３内には、釦型の電池３４が着脱可能に収納されるように構成されている。
【００２８】
アンテナ９は、外部からの標準時刻情報を含む電波を受信するものであり、図２に示すように、高透磁率材からなる角棒状のコア２０と、このコア２０の外周に巻き付けられたコイル２１とを備え、全体がほぼ丸棒状に形成され、図３に示すように、コア２０の両端部が回路基板１８に取り付けられていると共に、コイル２１が回路基板１８に電気的に接続された構成になっている。この場合、アンテナ９は、図２および図３に示すように、上部ハウジング６と下部ハウジング７との９時側（図２では左側）に設けられたアンテナ収納部９ａ内に、その一端（図３では下端）を６時側に向け、他端（図３では上端）を１２時側に向けた状態で、９時側に片寄って配置されている。
【００２９】
すなわち、このアンテナ９は、図３に示すように、全体が６時と１２時とを結ぶ直線と平行な状態で、上部ハウジング６と下部ハウジング７とにおける９時側に設けられたアンテナ収納部９ａ内に配置されていると共に、腕時計ケース１の後述するケース本体２２の内周面、つまり時計モジュール４の中枠１０の内周面に接近する位置に片寄って配置されている。
【００３０】
ところで、腕時計ケース１は、図１および図２に示すように、合成樹脂製のケース本体２２と、このケース本体２２の外周面におけるアンテナ９と対向する個所に取り付けられた軟質合成樹脂製の装飾部材２３と、ケース本体２２および装飾部材２３の両者の上部側に取り付けられる金属製の外装部材２４と、ケース本体２２および装飾部材２３の両者の下部側に取り付けられる金属製の裏蓋２５とを備えた構成になっている。
【００３１】
この場合、合成樹脂製のケース本体２２は、図２に示すように、ほぼ円形の枠状に形成され、その内径が中枠１０の外径とほぼ同じ大きさで、高さが中枠１０とほぼ同じか、それよりも少し高く形成され、これにより中枠１０を収納するように構成されている。また、軟質合成樹脂製の装飾部材２３は、図２に示すように、ほぼリング状に形成され、その高さがアンテナ９の厚みとほぼ同じ高さで、ケース本体２２の高さ方向の長さよりも十分に小さく形成されていると共に、その外周面に凹凸模様の装飾部２３ａが施され、この状態でケース本体２２の外周面にアンテナ９と対向して取り付けられている。
【００３２】
また、外装部材２４は、図１および図２に示すように、ケース本体２２の上部に防水リング２６ａを介して取り付けられる金属製の第１ベゼル２６と、装飾部材２３の上部に取り付けられる金属製の第２ベゼル２７とを備えた構成になっている。この場合、第１ベゼル２６は、図２に示すように、ケース本体２２とほぼ同じ肉厚のリング状に形成され、その高さが中枠１０の上端部から時計ガラス２の上面までの高さとほぼ同じ高さに形成され、その上部外周が緩やかに傾斜する傾斜面に形成されている。
【００３３】
これにより、第１ベゼル２６は、図２に示すように、ケース本体２２の上部に取り付けられた状態で、その内周面におけるほぼ中間部に鍔部１７がリング状に形成され、このリング状の鍔部１７の上部側に時計ガラス２がパッキン３を介して装着されると共に、この鍔部１７の下部側にリング状の見切り部材１５が緩衝部材１６を介して装着されるように構成されている。
【００３４】
また、第２ベゼル２７は、図２に示すように、断面がほぼ扇形状で、全体がリング状に形成され、装飾部材２３の上面に取り付けられると共に、第１ベゼル２６の外周の側面にも密着して配置され、この状態で上面側が緩やかに傾斜する湾曲傾斜面に形成されている。これにより、ケース本体２２と装飾部材２３とは、その上面側が第１、第２ベゼル２６、２７からなる外装部材２４によって外部からまったく見えないように覆われている。
【００３５】
一方、金属製の裏蓋２５は、その外径が装飾部材２３の下面における外径とほぼ同じ大きさの円形の皿状に形成され、ケース本体２２および装飾部材２３の両者の下部全体を覆って配置され、この状態でケース本体２２の下面に防水リング２８を介してビス２９により取り付けられている。この場合、裏蓋２５の上面には、磁性シート３０が少なくともアンテナ９の下側に対応して配置されている。この磁性シート３０は、ミクロンオーダの金属磁性体粉末を樹脂中に分散・混合し、シート化したものであり、磁性シート３０は、金属製の裏蓋２５よりも透磁率が高く、かつ導電率が低い。そして、磁性シート３０の上面にはアンテナ９の下面側を保護する緩衝シート３１が配置されている。また、裏蓋２５の上面における所定個所には、中枠１０および地板１９を腕時計ケース１内に弾力的に支持する緩衝部材３２が配置されている。
【００３６】
このような電子腕時計の腕時計ケース１によれば、内部にアンテナ９が収容される合成樹脂製のケース本体２２と、このケース本体２２の外周面にアンテナ９と対向して取り付けられた軟質合成樹脂製の装飾部材２３とを備えているので、ケース本体２２および装飾部材２３の上部側を金属製の外装部材２４で覆っても、またケース本体２２の下部側を金属製の裏蓋２５で覆っても、図２および図３に示すように、合成樹脂製のケース本体２２および軟質合成樹脂製の装飾部材２３によって標準時刻情報を含む電波を取り込むことができる。
【００３７】
また、アンテナ９が電波を受信すると、アンテナ９から反磁束が発生し、アンテナ９の近くに金属部材があると、アンテナ９から発生された反磁束が金属を通過する。金属部材には、通過しようとしている反磁束を打ち消すように渦電流が発生し、この渦電流により受信性能が低下してしまう。しかしながら、合成樹脂製のケース本体２２および軟質合成樹脂製の装飾部材２３には、渦電流が発生しないので、受信性能が低下することを防止できる。
【００３８】
また、裏蓋２５の上面には、磁性シート３０が貼り付けられているので、電波受信時に金属製裏蓋２５に発生する渦電流を抑えることができる。
即ち、裏蓋２５内面に裏蓋２５よりも透磁率が高く、かつ導電率が低い磁性シート３０を貼り付けると、アンテナ９から発生された反磁束の大部分が透磁率の高い磁性シート３０を通過する。この磁性シート３０は導電率が低い為、磁力線が通過しても渦電流は発生しにくく、また、裏蓋２５を通過する磁力線が少なくなるので裏蓋２５に発生する渦電流を抑えられ、受信性能の低下を防止できる。
【００３９】
また、この腕時計ケース１では、ケース本体２２および装飾部材２３の上部側に金属製の外装部材２４を設け、ケース本体２２および装飾部材２３の下部側に金属製の裏蓋２５を設けたので、ケース本体２２および装飾部材２３の上部側および下部側を金属製の外装部材２４と金属製の裏蓋２５とによって覆うことができ、このため外部から見える多くの部分を金属にすることができるので、金属調の外観を得ることができ、これにより装飾性を高めることができる。
【００４０】
この場合、ケース本体２２の外周面にアンテナ９と対向して設けられた軟質合成樹脂製の装飾部材２３が外部から見えるため、この装飾部材２３によってアクセント的な装飾効果をも付加することができ、これによっても装飾性を高めることができる。特に、装飾部材２３はその外周面に凹凸模様の装飾部２３ａが施されていることにより、この装飾部材２３の外周面に施された凹凸模様の装飾部２３ａによっても、装飾効果を付加することができるので、より一層、装飾性の高いものを得ることができる。
【００４１】
また、外装部材２４は、ケース本体２２の上部に取り付けられる金属製の第１ベゼル２６と、装飾部材２３の上部に取り付けられて第１ベゼル２６の外周の側面に密着する第２ベゼル２７とを備えているので、外装部材２４の組み立て作業性が良いばかりか、第１、第２ベゼル２６、２７によって金属調の装飾効果を得ることができると共に、第１、第２ベゼル２６、２７の段差や凹凸によって立体的な装飾効果をも付加することができ、これによっても、装飾性を高めることができる。
【００４２】
さらに、この腕時計ケース１では、外装部材２４の第１ベゼル２６に時計ガラス２がパッキン３を介して装着されていることにより、この時計ガラス２を通して腕時計ケース１内の文字板１２および指針１３を見ることができる。このため、腕時計ケース１内に時刻などの情報を指示するアナログムーブメント８を設けても、このアナログムーブメント８によって指示される時刻などの情報を腕時計ケース１の外部から良好に視認することができ、これにより電子腕時計として良好に使用することができる。
【００４３】
なお、上記実施形態１では、腕時計ケース１内における９時側にアンテナ９を片寄らせて配置した場合について述べたが、これに限らず、例えば腕時計ケース１内における３時側にアンテナ９を片寄らせて配置した構成でも良い。この場合には、腕時計ケース１の９時側に複数の押釦スイッチ５を設ければ良い。このように構成しても、実施形態１と同様の作用効果がある。
【００４４】
（実施形態２）
次に、図４を参照して、この発明を電子腕時計に適用した実施形態２について説明する。なお、図１〜図３に示された実施形態１と同一部分には同一符号を付して説明する。
この電子腕時計は、アンテナ３５を腕時計ケース１内の６時側に配置した構成で、これ以外は実施形態１とほぼ同じ構成になっている。
【００４５】
すなわち、このアンテナ３５は、実施形態１と同様、高透磁率材からなる角棒状のコア２０と、このコア２０の外周面に巻き付けられたコイル２１とを備え、全体がほぼ丸棒状に形成されている。また、このアンテナ３５は、図４に示すように、上部ハウジング６と下部ハウジング７とにおける６時側に設けられたアンテナ収納部３５ａ内に、その一端（図４では左端）を３時側に向け、他端（図４では右端）を９時側に向けた状態で６時側に片寄って配置され、この状態でコア２０の両端部が回路基板１８に取り付けられていると共に、コイル２１が回路基板１８に電気的に接続された構成になっている。
【００４６】
なお、腕時計ケース１は、実施形態１と同様、合成樹脂製のケース本体２２と、このケース本体２２の外周面にアンテナ３５と対向して取り付けられた軟質合成樹脂製の装飾部材２３と、ケース本体２２および装飾部材２３の両者の上部側に取り付けられる金属製の外装部材２４と、ケース本体２２および装飾部材２３の両者の下部側に取り付けられる金属製の裏蓋２５とを備えている。この場合にも、外装部材２４は、図１および図２に示したように、ケース本体２２の上部に取り付けられる金属製の第１ベゼル２６と、装飾部材２３の上部に取り付けられる金属製の第２ベゼル２７とで構成されている。
【００４７】
このような腕時計ケース１においても、実施形態１と同様、内部にアンテナ３５が収容される合成樹脂製のケース本体２２と、このケース本体２２の外周面にアンテナ３５と対向して取り付けられた軟質合成樹脂製の装飾部材２３とを備えているので、ケース本体２２および装飾部材２３の上部側を金属製の外装部材２４で覆っても、またケース本体２２の下部側を金属製の裏蓋２５で覆っても、図４に示すように、合成樹脂製のケース本体２２および軟質合成樹脂製の装飾部材２３によって電波を取り込むことができ、これにより金属製の外装部材２４および金属製の裏蓋２５による影響を受けずに、アンテナ３５で標準時刻情報を含む電波を確実に且つ良好に受信することができる。
【００４８】
この場合にも、ケース本体２２および装飾部材２３には、渦電流が発生せず、また、磁性シート３０によって裏蓋２５に渦電流が発生するのを防止できる。
【００４９】
また、この腕時計ケース１においても、ケース本体２２および装飾部材２３の上部側に金属製の外装部材２４を取り付け、ケース本体２２および装飾部材２３の下部側に金属製の裏蓋２５を取り付けたので、実施形態１と同様、ケース本体２２および装飾部材２３の上部側および下部側を金属製の外装部材２４と金属製の裏蓋２５とによって覆うことができ、これにより外部から見える多くの部分が金属になり、金属調の外観を得ることができるので、装飾性を高めることができる。特に、ケース本体２２の外周面にアンテナ３５と対向して設けられた軟質合成樹脂製の装飾部材２３が外部から見えるので、この装飾部材２３によってアクセント的な装飾効果をも付加することができ、これによっても装飾性を高めることができる。
【００５０】
さらに、この腕時計ケース１においても、外装部材２４の第１ベゼル２６に時計ガラス２がパッキン３を介して装着されていることにより、この時計ガラス２を通して腕時計ケース１内の文字板１２および指針１３を見ることができる。このため、腕時計ケース１内に時刻などの情報を指示するアナログムーブメント８を設けても、このアナログムーブメント８によって指示される時刻などの情報を腕時計ケース１の外部から良好に視認することができ、これにより電子腕時計として良好に使用することができる。
【００５１】
なお、上記実施形態２では、アンテナ３５を腕時計ケース１内における６時側に配置した場合について述べたが、これに限らず、例えばアンテナ３５を腕時計ケース１内における１２時側に配置した構成でも良く、また実施形態１、２およびその各変形例に限らず、アンテナ９、３５は、腕時計ケース１のケース本体２２の内周面に沿って接近した位置であれば、どのような位置に配置しても良い。
【００５２】
また、上記実施形態１または２では、裏蓋２５が、ケース本体２２および装飾部材２３の両者の下部全体を覆って配置された状態で、ケース本体２２の下面にビス２９によって取り付けられている場合について述べたが、これに限らず、例えば裏蓋はケース本体２２の下部側のみを覆って配置された状態でケース本体２２の下面にビス２９によって取り付けられた構成でも良い。この場合には、ケース本体２２の外周面に取り付けられた装飾部材２３が裏蓋で覆われていないため、外部に露呈するが、腕時計ケース１を腕に取り付けたときには、装飾部材２３の下部側はほとんど外部から見えない。このため、必ずしも裏蓋で装飾部材２３の下部側を覆う必要はない。
【００５３】
また、上記実施形態１または２では、腕時計ケース１のケース本体２２が全て合成樹脂によって形成されている場合について述べたが、これに限らず、例えばケース本体２２のうち、少なくともアンテナ９または３５に対向する個所のみを合成樹脂などの非金属で形成し、これ以外の部分を金属で形成した構成でも良い。この場合にも、ケース本体２２の外周面には、軟質合成樹脂からなる装飾部材２３がアンテナ９または３５に対向して取り付けられていれば良い。
【００５４】
また、上記実施形態１または２では、アナログ機能部とデジタル機能部とのうち、アナログ機能部を備えた場合について述べたが、これに限らず、デジタル機能部を備えた構成でも良い。この場合には、アナログムーブメント８に代えて、液晶表示部やＥＬ表示部（エレクトロルミネッセンス表示部）などの平面型の表示部を設け、この表示部に時刻などの情報を表示するように構成すれば良い。また、これに限らず、アナログ機能部とデジタル機能部との両方を備えた構成でも良い。
【００５５】
さらに、上記実施形態１または２では、電子機器として、腕時計に適用した場合について述べたが、これに限らず、例えばトラベルウォッチや置き時計、目覚まし時計、掛け時計などの電子時計にも適用することができるほか、表示手段として、液晶表示部やＥＬ表示部（エレクトロルミネッセンス表示部）などの平面型の表示部を用いれば、携帯電話機やＰＤＡ（パーソナル・デジタル・アシスタント）などのアンテナを内蔵する電子機器に広く適用することができる。
【図面の簡単な説明】
【００５６】
【図１】この発明を電子腕時計に適用した拡大正面図である。（実施形態１）
【図２】図１のＡ−Ａ矢視における拡大断面図である。
【図３】図２の裏蓋を取り外して下面側から見た拡大裏面図である。
【図４】この発明を適用した電子腕時計において裏蓋を取り外して下面側から見た拡大裏面図である。（実施形態２）
【符号の説明】
【００５７】
１  腕時計ケース
２  時計ガラス
４  時計モジュール
６  上部ハウジング
７  下部ハウジング
８  アナログムーブメント
９、３５  アンテナ
２２  ケース本体
２３  装飾部材
２４  外装部材
２５  裏蓋
２６  第１ベゼル
２７  第２ベゼル
３０  磁性シート
【図１】
2006112892.tif 000003
【図２】
2006112892.tif 000004
【図３】
2006112892.tif 000005
【図４】
2006112892.tif 000006